(57)【特許請求の範囲】
【請求項１】
ドア枠を取り付けるドア枠の取付構造であって、
ドアが設置されるドア枠と、
第１の防振材を含み、前記第１の防振材を介してドア枠受け部に前記ドア枠を取り付ける第１の防振部であって、前記ドア及び前記ドア枠の荷重を受けることが可能な第１の防振部と、
第２の防振材を含み、前記第２の防振材を介して壁に前記ドア枠を取り付けて、前記ドア枠の転倒を防止する第２の防振部とを有し、
前記第１の防振部は、前記ドア枠の下部に対して垂直方向下方の外部に位置し、
前記第２の防振部は、前記ドア枠の上部に対して水平方向の外部に位置し、
前記壁は建物の外壁であり、前記建物の外壁の外部に設置される遮音壁の開口部に前記ドア枠受け部及び前記ドア枠は配置されることを特徴とするドア枠の取付構造。
【請求項２】
前記第１の防振部における通気を阻害する遮蔽部を有することを特徴とする請求項１に記載のドア枠の取付構造。
【請求項３】
前記第２の防振材は、圧縮された状態であることを特徴とする請求項１又は２に記載のドア枠の取付構造。
【請求項４】
前記ドア枠受け部及び前記壁の少なくとも一つと、前記ドア枠との間に配置される、前記ドア枠の動きを制限するストッパを有することを特徴とする請求項１から３までのいずれかに記載のドア枠の取付構造。
【請求項５】
第１の防振材を含む第１の防振部によって、前記第１の防振材を介してドア枠受け部にドア枠を取り付け、前記第１の防振部は、ドア及び前記ドア枠の荷重を受けることが可能であり、
第２の防振材を含む第２の防振部によって、前記第２の防振材を介して壁に前記ドア枠
を取り付け、前記第２の防振部は、前記ドア枠の転倒を防止し、
前記ドア枠に前記ドアを設置し、
前記第１の防振部は、前記ドア枠の下部に対して垂直方向下方の外部に位置し、
前記第２の防振部は、前記ドア枠の上部に対して水平方向の外部に位置し、
前記壁は建物の外壁であり、前記建物の外壁の外部に設置される遮音壁の開口部に前記ドア枠受け部及び前記ドア枠は配置されることを特徴とするドア枠の取付方法。
【発明の詳細な説明】
【技術分野】
【０００１】
本発明は、高い遮音性と防振機能を併せ持ったドア枠の取付構造に関する。
【背景技術】
【０００２】
機械室などに防音ドアを設置する場合、２種類の音の伝わり方を考慮する必要がある。すなわち、空気を振動させて空中を伝わる空気伝搬音と、床や壁を振動として伝わる固体伝搬音を遮断する必要がある。固体伝搬音は、機械などの運転に伴う振動が、壁から防音ドアの蝶番などのドア支持部を介して防音ドアに伝わり、振動がドアパネルにおいて音に変化して、空中に放射されることがある。例えば、清水、汚水、その他の液体を移送、排水、或いは加圧するポンプ機場や、その他の機械設備の運転に伴って発生する騒音や振動が外部に空気伝搬音及び固体伝搬音として伝搬する。
【０００３】
このような場合、所定の防音性能を得るためには、空気伝搬音の遮音と、振動の防振による固体伝搬音の低減という二つの機能が必要になる。また、防音ドアを防振支持する場合、一般のドアとは異なる地震対策が必要になり、そのための機構を有することが求められる場合もある。
【０００４】
従来の防音ドアは、空気伝搬音の遮音を目的としており、ドアのドアパネルを厚くしたり、ドアパネル内に吸音材を充填したりして、遮音性を高めている。
空気伝搬音の遮音のみを目的とした一般的な従来の防音ドアを、図１３に示す。図１３（ａ）は正面図、図１３（ｂ）は、図１３（ａ）のＡＡ方向に見た縦断面図、図１３（ｃ）は、図１３（ａ）のＢＢ方向に見た横断面図である。ドアパネル１０が蝶番１２によりドア枠１４に取り付けられている。ドアパネル１０内には遮音のために、グラスウールなどの充填材１６が詰められている。すなわち、ドアパネル１０は２枚の鋼板の間にグラスウールなどの吸音材を挟んで、遮音性を高めている。ドアパネル１０とドア枠１４とが当たる部分には、音漏れ防止用に弾性体を使用したドアパッキン１８が具備されている。すなわち、ドアパネル１０とドア枠１４の隙間から音波が漏れるのを防ぐために、ゴムなどの弾性体を用いたドアパッキン１８が具備されている。
【０００５】
このような防音ドアは、空気伝搬音に対しては、所定の遮音性を発揮することができるが、機器の振動がドアに伝搬している場合、そこから発生する固体伝搬音を防止することはできない。そのため、空気伝搬音が十分に遮音されていたとしても、固体伝搬音の発生により、目的とする騒音値まで騒音を低減することができないことがある。
【０００６】
一方、ドアを設置する場所によっては、より遮音性を高めるため、気密性を高めたり、ドアパネルを透過する騒音を抑制するだけではなく、ドアの開閉によって発生する騒音（「固体伝搬音」の一種）を抑制することが必要な場合もある。そのため、従来技術は、以下の文献のような工夫を行っている。
【０００７】
特許文献１では、ドア枠の取付金具に防振材を貼り着けて防振する構造を開示する。この発明は、ドアの開閉による振動および衝撃音の発生を防止することを目的とする。すなわち、ドア自体から発生した騒音が、ドアの外部に（例えば隣室等に）拡散することを防止することが目的である。
【０００８】
特許文献１では、取付金具が取り付けられている場所で、ドア枠は壁体と防振材を介して接触する。この場所以外で、ドア枠が壁体と接触する箇所については、ドア枠は、弾性材よりなる防水材を介して壁体と接触することで、振動伝播を回避している。但し、この
構造では、弾性材に対する摩擦力と、弾性材をせん断する方向の力が働くように、ドアの荷重を弾性材は受けており、弾性材がせん断される又は劣化する可能性が高い。従って、重いドアを取付けることはできない。
【０００９】
特許文献２では、ドア枠と開口部の間に、ドア枠全周にわたって防振材を設けたことを特徴とする間仕切りパネル用のドア枠取付け構造が考案されている。比較的軽量な間仕切パネル用のドアを対象としている。目的も効果も特許文献１と同じである。
【００１０】
特許文献３では、文献２と同様に、ドア枠と、建物の開口部との間に、ドア枠全周にわたって緩衝材を設けたことを特徴とするドア枠の取付け構造が開示されている。目的も効果も文献１と同じである。隣室や、上下階への騒音伝搬の防止を目的としており、建物に設置するドアに関するものである。
【００１１】
特許文献１〜３は、いずれも、ドア自体から発生した振動（ドア開閉による振動等）が、ドア以外の箇所（例えば隣室等に）で騒音として発生することを防止することが目的であり、ドア自体は通常のドアである。そのため、ドアの内部（室内）にある騒音源から、ドア自体を通過して外部（室外）に伝搬する騒音に対する対策はとられていない。
【００１２】
特許文献４では、１つの防音ドアを２枚のドアパネルで構成し、２枚のドアパネルのうち、１枚について、防振材でドアパネルの周縁を包囲するように支持することで固体伝搬音を除去する防音ドアが開示されている。防振材がドア表面に露出しないようになっているため、特許文献４は、耐火性にも優れている。この発明の目的は、スタジオ等で外部からの騒音を遮断するための構造を提供することにあり、ドアパネルに外部から進入してきた音によって当該ドアパネルに発生する振動を当該構造によって抑制して、室内側へ騒音が伝達されることを防止している。特許文献４では、外部から室内に入る騒音の防止を目的としており、固体伝搬音が外部へ放射される場合の防音対策については考慮されていない。
【００１３】
特許文献５では、ドアの蝶番が取付けられる支柱を、当該支柱に続く支柱の上下２箇所を防振ゴムで構成することで、ドアで発生する振動を減衰させる構造が開示されている。防振ゴムにより、ドアの開閉に伴う音と振動が断ち切られる。但し、この構造では防振ゴムに対して、鉛直に（重力方向に）荷重が掛からず、曲げ方向の力が掛かることがあるため、重いドアを取付けることは困難である。また、適正な防振性能を発揮させるためには、上下の防振ゴムの圧縮量を調整する必要があるが、特許文献５の構造では、困難である。
【先行技術文献】
【特許文献】
【００１４】
【特許文献１】特開平８−２１８７３７
【特許文献２】特開平５−２６３５６７
【特許文献３】特開平７−３０５５６８
【特許文献４】実開昭６１−５６４８８
【特許文献５】実開昭６３−１０１１１
【発明の概要】
【発明が解決しようとする課題】
【００１５】
上記の従来技術に係わるドアの防振技術は、比較的軽量なドアを対象としている。一方、重量ドアは、その自重が大きく、その結果、空中を伝搬する音波（空気伝搬音）に対して大きな透過損失を有する。従来技術に係わるドアの防振技術は、比較的軽量なドアを対象としているため、重量ドアの防振には適さない。
【００１６】
従来技術のように緩衝材を挟むだけの防振構造では、防振したい振動の周波数に合わせて、防振性能を調整することは難しいという問題がある。従来の防振技術は、主にドアの開閉に伴い発生する振動を遮断することを目的としているが、外部からドアに伝わる振動によって発生する固体伝搬音を低減するための防振装置として適切な設計を行うことは困難である。
【００１７】
本発明は、遮音性の高い重量ドアにおいて、空気伝搬音を遮音するとともに、ドア以外の、例えば室内の機械から構造物を介してドアに伝わる振動を低減して、ドア経由で空中に放射される固体伝搬音を低減したドアを提供するものである。
【課題を解決するための手段】
【００１８】
上記目的を達成するために、一実施形態では、ドア枠を取り付けるドア枠の取付構造において、ドアが設置されるドア枠と、第１の防振材を含み、前記第１の防振材を介してドア枠受け部に前記ドア枠を取り付ける第１の防振部であって、前記ドア及び前記ドア枠の荷重を受けることが可能な第１の防振部と、第２の防振材を含み、前記第２の防振材を介して壁に前記ドア枠を取り付けて、前記ドア枠の転倒を防止する第２の防振部とを有する。
【００１９】
ドア枠受け部とドア枠との間に設置した第１の防振部によって、ドア本体とドア枠の荷重を支持する。また、防振材で支持することにより不安定になるため、防振機能付きの倒れ止めである第２の防振部を設ける。
【００２０】
第１の防振部は、ドア枠受け部とドア枠との間に複数個を不連続に、すなわち離散的に設置することができる。１個の連続した防振部としてもよい。
第１の防振材及び第２の防振材は、振動を減衰する機能を有する材料、又はそのような材料から構成された装置であり、例えば防振ゴムである。
【００２１】
本発明においては、前記第１の防振部における通気を阻害する遮蔽部を有することが好ましい。第１の防振部が不連続に配置されている場合、第１の防振部における通気を遮蔽部によって阻害することにより、第１の防振部が設置されている場所以外のドア枠受け部とドア枠との間から音が漏れることを防止できる。さらに、遮蔽板によって、第１の防振材が直射日光や風雨に晒されることを防止できる。
【００２２】
遮蔽部の材質は例えば、鋼板、または弾性材料である。
また、前記ドア枠受け部と前記遮蔽板との間に弾性シーリング材を配置して、遮音性をさらに高めることも可能である。
【００２３】
前記第２の防振材は、圧縮された状態であることが好ましい。第２の防振材である防振ゴムやゴムワッシャ等の防振材は、ボルト等の締め付けにより圧縮する。ドアに風圧が掛かって、ドア枠が、水平移動した場合にも、防振効果を維持するためである。
【００２４】
なお、前記壁は建物の外壁であり、前記建物の外壁の開口部に前記ドア枠受け部及び前記ドア枠を配置することができる。
また、別の実施形態として、前記壁は建物の外壁であり、前記建物の外壁の外部に設置される遮音壁の開口部に前記ドア枠受け部及び前記ドア枠を配置することができる。
【００２５】
さらに、地震時等の対策として、前記ドア枠受け部及び前記壁の少なくとも一つと、前記ドア枠との間に配置される、地震時等に前記ドア枠の動きを制限するストッパ（耐震ストッパ）を設けることとしてもよい。
【００２６】
本発明に係わるドア枠の取付方法によれば、第１の防振材を含む第１の防振部によって、前記第１の防振材を介してドア枠受け部にドア枠を取り付け、前記第１の防振部は、ドア及び前記ドア枠の荷重を受けることが可能であり、第２の防振材を含む第２の防振部によって、前記第２の防振材を介して壁に前記ドア枠を取り付け、前記第２の防振部は、前記ドア枠の転倒を防止し、前記ドア枠に前記ドアを設置することを特徴とする。
【００２７】
本発明は、例えば、騒音と振動を発生する機械室の屋外に面したドアに適用することが好ましい。
さらに、本発明に、以下のような機能や、特徴的な構造を付加することができる。
・ドアのドアパネルをセメント板として、高い遮音性を持たせることができる。セメント板は、建物外壁に類似した材質で、建物と外観を合わせることが可能である。
・ドアパネルの材料や構成の変更等によるドアパネルの軽量化を図る。これによりドアが設置される構造体や場所、及び、蝶番への荷重負荷が軽減できる。
・ドアパネルに補強材（ターンバックルや筋交い）を設けることにより、ドア質量が大きい場合に、ドアパネルを補強することができる。
・ドアにキャスタを設ける。これにより蝶番に掛かる荷重を低減できる。キャスタの車輪をゴムタイヤ製とした場合、防振性もあり、凸凹した箇所でも、重いドアを使用することが可能になる。
・ドアパッキンを二重化することにより、遮音性、防塵性、雨水シール性の向上が図れる。
・ドアの下部に位置するドア枠に、雨水用逃げ穴を設けることにより、ドア枠に進入した雨水を排水できる。
・抜き差し可能な蝶番とした場合、ドアが離脱可能となり、機械の搬入出などで広い開口が必要な場合に便利である。
・ドアに、カギや、地面に設けた穴に挿入するロッド棒を取り付けることにより戸締り機能をドアに付加できる。この結果、防犯性が向上する。
【図面の簡単な説明】
【００２８】
【図１】図１は、本発明の一実施形態に係るドア枠の取付構造の概略構成を示す。
【図２】図２は、図１に示す取付構造の正面図である。
【図３】図３は、図２に示す取付構造のＡＡ断面図である。
【図４】図４は、図１に示す取付構造の平面図である。
【図５】図５は、図４に示すＢ部の詳細図である。
【図６】図６は、防振装置２８の詳細図である。
【図７】図７は、ドア枠の取付構造を遮音壁の一部に適用する例を示す図である。
【図８】図８は、ドア枠の取付構造を建物のドアに適用する例を示す図である。
【図９】図９は、遮蔽板６２の一例を示す図である。
【図１０】図１０は、本発明の他の実施形態に係るドア枠の取付構造の概略構成を示す図である。
【図１１】図１１は、本発明に係るドアパネルの種々の構成例を示す図である。
【図１２】図１２は、本発明に係るドアパネルのさらに別の種々の構成例を示す図である。
【図１３】図１３は、空気伝搬音の遮音のみを目的とした従来の防音ドアを示す図である。
【発明を実施するための形態】
【００２９】
次に添付図面を参照して、本発明によるドア枠の取付構造の実施例を詳細に説明する。以下では、同一の部材に対しては、同一の参照符号を付す。
図１は、本発明の一実施形態に係るドア枠の取付構造２０の概略構成を示す図である。
ドア枠の取付構造２０は、防音ドア２２が設置されるドア枠２４と、防振ゴム（第１の防振材）を介してドア枠受け部２６にドア枠２４を取り付ける第１の防振部である防振装置２８と、防振ゴム（第２の防振材）を介して壁にドア枠２４を取り付けて、ドア枠２４の転倒を防止する第２の防振部である倒れ止め装置３０とを有する。
【００３０】
防振装置２８は、ドア２２及びドア枠２４の荷重を受けることが可能であり、倒れ止め装置３０は、ドア枠２４の転倒を防止する。
図１では、基本構造の明りょう化のため、遮蔽部である遮蔽板は表示していない。この構成では、ドア枠２４の中に防音ドア２２を通常のように蝶番３２で支持している。ドア枠受け部２６に防振装置２８が配置されて、ドア枠２４の下部が防振支持されている。また、ドア枠２４上部の左右２箇所に倒れ止め装置３０が設置されている。防音ドア２２は、ドアパネル３４とハンドル３６から構成されている。
【００３１】
ドア枠２４及びドア枠受け部２６は、建物の外壁等の開口部に配置される。ドア枠受け部２６は、当該開口部の基礎３７上に固定される。
ドア枠受け部２６とドア枠２４との間に耐震ストッパ３８が配置される。耐震ストッパ３８は、地震時等のドア枠２４の動きを制限する。
【００３２】
図２〜５にドア枠の取付構造２０の詳細を示す。図２は、図１に示す取付構造の正面図である。図３は、図２に示す取付構造のＡＡ断面図である。図４は、図１に示す取付構造の平面図である。図５は、図４に示すＢ部の詳細図である。
【００３３】
図２、３に示すように、ドア枠２４の内側にドア２２が取り付けられた状態で、ドア枠２４が防振装置２８で防振され、かつ、ドア枠２４が倒れることを防止する倒れ止め装置３０が、ドア枠２４と建物の外壁４０などを連結するように設置される。防振装置２８は、図１では、ドア枠２４の下部に左右対称に４個設置してある。倒れ止め装置３０は、ドア枠２４の上部左右に１個ずつ計２個設置してある。
【００３４】
防振装置２８は、防振ゴム４２、スペーサ４４、底板４６を有する。防振ゴム４２は、スペーサ４４によって設置する高さを調整する。その詳細を図６に示す。
防振ゴム４２は、金属プレート４２ａに取り付けられている。底板４６と、金属プレート４２ａとの間に、図６ではスペーサ４４が３枚ある。金属プレート４２ａとスペーサ４４は、ボルト４８ａとナット４８ｂにより底板４６に取り付けられる。当該底板４６は、ボルト４８ｃとナット４８ｄによりドア枠受け部２６に固定される。
【００３５】
取付手順としては、底板４６をドア枠受け部２６に固定する。次に、金属プレート４２ａ付きの防振ゴム４２とスペーサ４４とボルト４８ｅが、底板４６とドア枠２４との間に、スペーサ４４の枚数により高さを調整して設置される。高さを調整後、金属プレート４２ａとスペーサ４４を、ボルト４８ａとナット４８ｂにより底板４６に取り付ける。最後に、ナット４８ｆがボルト４８ｅに固定される。
【００３６】
防振ゴムの材質としては、シリコーンゴム、天然ゴム、クロロプレンゴム、ウレタンゴム等がある。
図３に示す倒れ止め装置３０は、ドア枠２４の上部の左右２か所に取り付けられる。倒れ止め装置３０は、防振ゴム５０及びゴムワッシャ５２を有することを特徴とする。倒れ止め装置３０は、固定や支持のために用いるボルトなどの締結部材を通じて振動がドア枠に伝わることを防止するように、ゴムワッシャを設置することを特徴とする。
【００３７】
倒れ止め装置３０は、長さ調整用のボルト５４、防振ゴム５０、ゴムワッシャ５２、および、これらを保持するプレート５６ａ，５６ｂ，５６ｃを有する。長さ調整用のボルト
５４と、長さ調整部５８の両端に取り付けたナット６０ａ，６０ｂによって、長さ調整部５８は必要な長さに固定される。長さ調整部５８の長さを調整することにより、防振ゴム５０の圧縮量が調整できる。
【００３８】
長さ調整用のボルト５４の一端は、防振ゴム５０側に延長されており、防振ゴム５０を挟み込む２枚のプレート５６ｂ，５６ｃを貫通している。２枚のプレートのうち、長さ調整部５８と反対側のプレート５６ｃにはボルト５４よりも大きな穴が開いている。穴にボルト５４を貫通させたあと、ゴムワッシャ５２、及びナット６０ｃがボルト５４に取り付けられる。これにより、ボルト５４は、貫通するプレート５６ｃにゴムワッシャ５２を介して保持されることになる。ゴムワッシャ５２に接したナット６０ｃの位置によって、ゴムワッシャ５２の圧縮量は調整される。
【００３９】
防振ゴム５０は、底板５０ａに、接着等により取り付けられている。底板５０ａは、支持金具６８ａにボルト５０ｂにより取り付けられている。支持金具６８ａは、そのフランジ部分６８ｂが、ボルト６８ｃにより外壁４０に固定されている。
【００４０】
倒れ止め装置３０は、そのプレート５６ａが支持金具７０に溶接にされており、支持金具７０は、ドア枠２４に溶接にされている。
防振装置２８の防振ゴム４２については、防振ゴム４２が支持するドア２２とドア枠２４の質量、及び防振したい振動の周波数を考慮して、設置後に適切な固有振動数を防振ゴム４２が有するように、防振ゴム４２のバネ定数を選定する。また、倒れ止め装置の防振ゴム５０とゴムワッシャ５２は、ナット６０ｂ、６０ｃによる締め付けによって圧縮することで、擬似的にゴムに荷重が掛かっている状態にする。
【００４１】
防振ゴム４２の固有振動数（共振周波数）は、防振ゴム４２のバネ定数とその個数と、支持するドア枠２４とドア２２の質量から決まる。すなわち、固有振動数は、防振ゴム４２の圧縮量から決まる。防振ゴム５０とゴムワッシャ５２の固有振動数は、それらのバネ定数と、ナット６０ｂ、６０ｃによる締め付けによって決まる。これらの固有振動数が、防振したい振動の周波数と異なるように、防振ゴム４２、５０とゴムワッシャ５２の圧縮量を設定する。この結果、振動が、ドア枠受け部２６及び外壁４０からドア２２に伝達されることが防止できる。
【００４２】
本実施例では、防振したい振動の周波数に合わせて、防振装置の設計が可能なため、例えば、近くに設置された機械から発生する振動の周波数が既知であれば、効率よく防振することができる。
【００４３】
また、風荷重がドアパネル３４に作用し、ドアパネル３４が水平方向に押されたり、引かれたりする場合、倒れ止め装置３０の防振ゴム５０とゴムワッシャ５２をボルト６０ｂ、６０ｃで予め圧縮しておく。これにより、風圧で多少ドア２２の位置が移動しても、防振ゴム５０とゴムワッシャ５２は、どちらかが圧縮量が増え、もう片方の圧縮量が減るが、予め与えた圧縮量の範囲内であれば、双方とも圧縮を保ったままとなる。一般に防振ゴムは、その製品ごとに決められた長さだけ圧縮していないと、防振性能を発揮することができない。予め圧縮しない場合、風圧によって、防振ゴム５０かゴムワッシャ５２のどちらかの圧縮量がなくなるか小さくなり過ぎるかすると、必要な防振性能が発揮できなくなり、ドアパネル３４に振動が伝搬して、固体伝搬音が発生する可能性がある。本発明によれば、このような問題を防ぐことができる。
【００４４】
図２に示す耐震ストッパ３８は、ドア枠受け部２６に固定された台座３８ａに取り付けられたボルト３８ｂと、ボルト３８ｂがドア枠２４を貫通した先に取り付けたナット３８ｃ、３８ｄを有する。ボルト３８ｂがドア枠２４を貫通する箇所で、ドア枠２４に接触し
ないように、ボルト径よりも大きな穴がドア枠２４には開いている。
【００４５】
本発明による防音ドアは、ドア枠に防振ゴム等から構成された防振装置を具備しているため、地震発生時には、通常の防音ドアよりも揺れやすい。そのため、図２に示すように、耐震ストッパを取り付けることで、地震時に通常使用時以上に大きく揺れた場合にも、耐震ストッパで制限された揺れ幅以内で抑えられて、ドアや防振装置の損傷を防止できる。
【００４６】
図１〜６に示す実施例では、耐震ストッパは、ドア枠受け部と、ドア枠との間にのみ配置されている。しかし、耐震ストッパは、壁と、ドア枠との間にのみ配置されてもよく、ドア枠受け部及び壁の両方と、ドア枠との間に配置されてもよい。
【００４７】
耐震ストッパが、壁と、ドア枠との間に配置される場合、耐震ストッパは、図３に示す倒れ止め装置３０のプレート５６ｂとプレート５６ｃとの間に設置することが好ましい。
耐震ストッパの構成は、図２に示す耐震ストッパ３８と同様である。すなわち、耐震ストッパは、プレート５６ｃに固定された台座に取り付けられたボルトと、当該ボルトがプレート５６ｂを貫通した先に取り付けた２個のナットを有する。当該ボルトがプレート５６ｂを貫通する箇所で、プレート５６ｂに接触しないように、ボルト径よりも大きな穴がプレート５６ｂには開いている。このような耐震ストッパを設置することにより、ドア枠２４が、図３における左右方向のいずれの方向に揺れても、その揺れを抑制することができる。なお、このボルトに、前記の２個のナットとは別の台座代替用のナットを、台座の頂部に相当する位置に固定することにより、台座はナットで代替することができる。当該ボルトは、プレート５６ｃに直接固定する。
【００４８】
なお、ドア枠２４の荷重を受ける防振装置２８は、ドア枠２４の外周に沿って全周に設置するのではなく、ドア枠２４の下部に数箇所設置するため、防振装置２８を設置しない箇所から音波が漏れる。これを防止する目的で図３に示すような遮蔽板６２が設置される。
【００４９】
図３に示すように、ドア枠２４の下部とドア枠受け部２６の間にできる隙間を塞ぐようにして、ドア２２の表面と裏面の両方、もしくは、片方に遮蔽板６２が取り付けられる。遮蔽板６２は、ドア枠２４に取り付けられる。遮蔽板６２のドア枠受け部２６に接する側には、ドア枠受け部２６との隙間がなるべくできないようにするために、緩衝材６４が取り付けられる。
【００５０】
緩衝材６４は、振動も伝えない防振材の一種である弾性シーリング材とすることができる。弾性シーリング材は、シリコン系シーリング材やポリサルファイド系シーリング材である。
【００５１】
なお、図４，５に示すように、ドア枠２４とドアパネル３４とが接触するところにあるドア枠２４とドアパネル３４のそれぞれに、ドアパッキン６６ａ，６６ｂが設けられる。これにより、ドア枠２４とドア２２の間にできる隙間を塞ぎ、音波が漏れることを防止するとともに、ドア２２の開閉時にドア枠２４と直接接触して発生する衝撃音が防止される。
【００５２】
以上、本発明により、機械の運転などにより発生した振動がドア支持部からドアパネルに伝搬することを抑制し、ドアパネルから発生する固体伝搬音を低減できる。また、遮蔽板によってドア枠の荷重を受ける防振装置周辺から空気伝搬音が漏れることが防止される。
【００５３】
本発明のドア枠の取付構造は、図７に示すように、建物の外部に設置された遮音壁７２の一部に適用することもできるし、図８に示すように、建物のドアに適用することもできる。両者の間では、倒れ止め装置の構造と固定方法が異なる。図７に示す遮音壁の一部に適用する場合は、既述の図３等に示す倒れ止め装置３０が既述のように固定される。すなわち建物の外壁４０に倒れ止め装置３０が固定され、建物の外壁４０の外部に設置される遮音壁７２の開口部７２ａにドア枠受け部２６及びドア枠２４は配置される。外壁４０の開口部４０ａにドア枠７４が取り付けられ、ドア枠７４に通常のドア７６が取り付けられる。これにより、二重扉が構成され、遮音性が高まるとともに、固体伝搬音の発生も抑制することができる。
【００５４】
図８に示す建物のドアに適用する場合は、建物の外壁４０の開口部４０ａにドア枠受け部２６及びドア枠２４は配置される。倒れ止め装置３０ａは、ボルト７８、防振ゴム５０、ゴムワッシャ５２、および、これらを保持するプレート８０を有する。ボルト７８は、外壁４０に固定された支持金具８２を貫通し、さらにプレート８０を貫通して、ドア枠２４に取り付けられる。
【００５５】
防振ゴム５０はプレート８０と支持金具８２により挟み込まれている。プレート８０に配置されたナット８４の位置を調整することにより、プレート８０と支持金具８２との間の長さが調整できる。この結果、防振ゴム５０の圧縮量を調整できる。
【００５６】
支持金具８２にはボルト７８よりも大きな穴が開いている。ボルト７８は、ゴムワッシャ５２を介して穴を貫通する。これにより、ボルト７８は、支持金具８２にゴムワッシャ５２を介して保持されることになる。ゴムワッシャ５２に接したナット８６の位置によって、ゴムワッシャ５２の圧縮量が調整される。
【００５７】
防振ゴム５０は、図３と同様に、底板５０ａ（図示せず）に、接着等により取り付けられている。底板５０ａは、支持金具８２にボルト（図示せず）により取り付けられている。支持金具８２は、そのフランジ部分８２ａが、ボルト（図示せず）により外壁４０に固定されている。
【００５８】
従って、図８のように、建物のドアだけについて固体伝搬音を防止して防音性能を向上させることが可能であり、また図７のように、遮音壁に設置されたドアの固体伝搬音を防止して防音性能を向上させることも可能である。
【００５９】
図９に遮蔽板６２の一例を示す。遮蔽板６２は、加工性が悪くなるので、あまり厚くすることはできない。そのため、ドアの他の箇所に比べて、振動が伝搬した場合に不要な音が発生する可能性が高い。発生を抑制するため、例えば図９に示すような補強材６２ａが溶接等により遮蔽板６２に取付けられる。すなわち、鋼板製の遮蔽板６２に板状（リブ状）の補強材６２ａを取り付けて、遮蔽板６２の振動を抑制して、音の発生が防止される。遮蔽板６２は、ボルト６２ｂによりドア枠２４に取り付ける。
【００６０】
図１０は、本発明の他の実施形態に係る防振型防音ドアの概略構成を示す。ドアパネル３４は、通常、遮音パネルであり、遮音パネルとしてセメント板が用いられることがある。セメント板を用いた場合、ドアパネル３４は重くなるため、ドアの開閉時に蝶番に掛かる負荷も大きい。そこで、ドアの開く側のドアパネル面に、キャスタが固定されたキャスタ取付脚が取付けられる。
【００６１】
例えば、図１に示すドア２２に、図１０に示すように、ゴムタイヤ１１０付きのキャスタ１１２が、キャスタ取付脚１１４を介して取付けられる。この場合、ドア２２の荷重を基礎３７で受けながら、ドア２２を開閉することができるとともに、ゴムタイヤ１１０で
振動が減衰するため、床面からドア２２に振動が伝搬して固体伝搬音が発生することもない。また、ゴムタイヤ１１０を用いることで、床面に多少の凸凹があってもドア２２の開閉に支障はない。また、蝶番への荷重が減るため、耐久性の低下や、スムーズな開閉ができなくなるなどの不具合が防止される。
【００６２】
次に、ドアパネル３４、すなわち遮音パネル３４の種々の構成例について説明する。図１１は、本発明に係る遮音パネル３４の種々の構成例を示す。
遮音パネル３４は、遮音性を有するものであればよい。例えば、セメント板（「スレートボード」とも呼ばれる。）が利用できる。セメント板は、セメントおよび繊維質原料を有する。
【００６３】
図１１（ａ）に示すものは、図１に示すものである。本図及び図１に示す遮音パネル３４は、鋼板製のパネル枠８８の中に、セメント板９７をはめ込んだものであり、遮音パネル３４は鋼板製のパネル枠８８に取付けられている。本図のように、遮音パネル３４には、密度の大きいセメント板９７を用いて遮音性を高めることができる。
【００６４】
図１１（ｂ）に示す別の例のように、防音ドアの遮音パネル１２８は、外側全体を覆っている鋼板９８と、鋼板９８内に充填されている充填材１００を有する。充填材には、比較的密度の高いグラスウール（32kg/m3程度）やロックウール（80kg/m3程度）を使用する。
【００６５】
図１１（ｃ）に示すさらに別の例では、遮音パネル１２８ａは、外側全体を覆っている鋼板９８の内部にセメント板９７を配置している。
なお、遮音パネルの表面は、建物の外壁に合わせたり、一般のドアに近い仕上がりにしたりするなど、意匠上適したものとすることができる。
【００６６】
図１２は、本発明に係る遮音パネルのさらに別の種々の構成例を示す。図１２は、遮音パネル１２８の鋼板９８全体を、制振鋼板１０２と遮音シート１０４で構成された複層パネルにしたものである。これらは、最外層に制振鋼板１０２を配置し、その内側に遮音シート１０４を配置したものであり、遮音性能は若干落ちる。しかし、ドアをできるだけ軽くするために、遮音パネルの表側にある鋼板の部分は、より薄い制振鋼板１０２である。そして、遮音性能の低下を補うために遮音パネルは複層パネルである。
【００６７】
遮音シートの材料としては、塩化ビニール樹脂、プラスチックやゴム板等が使用できる。
図１２（ａ）の遮音パネルは、遮音シート１０４の内部にセメント板９７を設置することで、質量を減らしつつ、遮音性が低下しない。図１２（ｂ）の遮音パネルは、遮音シート１０４の内部にグラスウールなどの充填材１０６を詰めたものである。
図１２（ｃ）の遮音パネルは、図１２（ａ）の遮音パネルと同様な遮音シート１０４の内部に、図１２（ａ）の遮音パネルに示すよりも薄いセメント板９７ａを内包する。セメント板９７ａの周囲に充填材１０６が配置されることにより、質量を減らしつつ、遮音性が低下しない。
【００６８】
なお、図１に示す実施例では、防振装置２８は、ドア枠２４の下部に設置しているが、防振装置２８を、ドア枠２４の上部に設置することも可能である。この場合、ドア枠２４を、防振装置２８を介して壁の開口部に吊り下げることになる。そして、倒れ止め装置３０は、ドア枠２４の下部に設置する。防振装置２８の構成は、図６と同様であり、倒れ止め装置３０の構成は、図３と同様である。例えば防振ゴム４２の長さは、防振ゴム４２が、所定の圧縮を受けるようにスペーサ４４の枚数で設定する。
【００６９】
ところで、本発明では、以下のような付加的な構成を防音ドアに施してもよい。図１等のドアパネルにターンバックルや斜交いなどの補強材を取付けることで、セメント板を使用した重いドアパネルでも変形しない十分な強度を持たせることができる。
【００７０】
また、ドアパッキンを二重化することで、遮音性、防塵性、雨水シール性（防滴性）を高めることができる。
また、蝶番を軸の部分で抜差しができる抜差し蝶番とすることで、ドアを取り外せる構造とすることもできる。機械室などで、ドアを通して大型機器を搬入出する場合に、作業が容易になる。
【００７１】
また、ドアにカギを取付けて防犯性を向上させることや、ハンドルに連動してドアを床面に固定するロッド棒を、ドアに取付けることもできる。ロッド棒は、床面に設けた穴に固定されることにより、ドアの閉鎖状態がより強固になり、遮音性が高まる。
以上説明したように、本発明は以下の形態を有する。
［形態１］
ドア枠を取り付けるドア枠の取付構造であって、
ドアが設置されるドア枠と、
第１の防振材を含み、前記第１の防振材を介してドア枠受け部に前記ドア枠を取り付ける第１の防振部であって、前記ドア及び前記ドア枠の荷重を受けることが可能な第１の防振部と、
第２の防振材を含み、前記第２の防振材を介して壁に前記ドア枠を取り付けて、前記ドア枠の転倒を防止する第２の防振部とを有することを特徴とするドア枠の取付構造。
［形態２］
前記第１の防振部における通気を阻害する遮蔽部を有することを特徴とする形態１に記載のドア枠の取付構造。
［形態３］
前記第２の防振材は、圧縮された状態であることを特徴とする形態１又は２に記載のドア枠の取付構造。
［形態４］
前記壁は建物の外壁であり、前記建物の外壁の開口部に前記ドア枠受け部及び前記ドア枠は配置されることを特徴とする形態１から３までのいずれかに記載のドア枠の取付構造。
［形態５］
前記壁は建物の外壁であり、前記建物の外壁の外部に設置される遮音壁の開口部に前記ドア枠受け部及び前記ドア枠は配置されることを特徴とする形態１から３までのいずれかに記載のドア枠の取付構造。
［形態６］
前記ドア枠受け部及び前記壁の少なくとも一つと、前記ドア枠との間に配置される、前記ドア枠の動きを制限するストッパを有することを特徴とする形態１から５までのいずれかに記載のドア枠の取付構造。
［形態７］
第１の防振材を含む第１の防振部によって、前記第１の防振材を介してドア枠受け部にドア枠を取り付け、前記第１の防振部は、ドア及び前記ドア枠の荷重を受けることが可能
であり、
第２の防振材を含む第２の防振部によって、前記第２の防振材を介して壁に前記ドア枠を取り付け、前記第２の防振部は、前記ドア枠の転倒を防止し、
前記ドア枠に前記ドアを設置することを特徴とするドア枠の取付方法。
【図１】
0006538319.tif 000002
【図２】
0006538319.tif 000003
【図３】
0006538319.tif 000004
【図４】
0006538319.tif 000005
【図５】
0006538319.tif 000006
【図６】
0006538319.tif 000007
【図７】
0006538319.tif 000008
【図８】
0006538319.tif 000009
【図９】
0006538319.tif 000010
【図１０】
0006538319.tif 000011
【図１１】
0006538319.tif 000012
【図１２】
0006538319.tif 000013
【図１３】
0006538319.tif 000014